(57)【特許請求の範囲】
【請求項１】
正面板（１１）、中側面板（１３）、背面板（１２）、及び外側面板（１４）が順に連接され、これらの各連接辺の折り曲げによって角筒状に形成される側部と、
前記正面板（１１）の下辺、及び隣接する一の側面板の下辺に共連結された第一フラップ板（２１）と、
前記背面板（１２）の下辺、及び隣接する他の側面板の下辺に共連結された第二フラップ板（２２）とを有し、
前記第一フラップ板（２１）と第二フラップ板（２２）とを箱底部にて突き合わせることで、有底箱体を構成する箱形容器において、
前記第一フラップ板（２１）、第二フラップ板（２２）の幅方向中央には、それぞれ底部の矩形形状の対角方向につきだしたロック片（２３、２４）が形成され、
第一フラップ板（２１）及び第二フラップ板（２２）を突き合わせた状態で、ロック片（２３）とロック片（２４）を底部中央で互いに係止させ、
前記第一フラップ板（２１）、第二フラップ板（２２）にはそれぞれ、箱形成形時に箱上方を向いて伸びる第一挟み込み片（３１）、第二挟み込み片（３２）が延設され、
第一挟み込み片（３１）、第二挟み込み片（３２）が箱内を斜め外方へ傾斜して伸びることで、箱内の収容物を正面板（１１）側と背面板（１２）側から挟み込み、
さらに前記背面板（１２）に連接した貼り合わせ側板（１５）から外側方へ、第一側板（５１）、第二側板（５２）、第三側板（５３）が順に連接形成されてなり、第三側板（５３）の裏側が背面板（１２）の内面に貼り合せられることで、収容ケースの角筒内に三方側枠を構成し、また第三側板（５３）には前記連接方向と逆方向へ、第二側板（５２）よりも長い底仕切り板（５４）が側方連接され、この底仕切り板（５４）が角筒の組み上げ時に三方側枠内を斜めに横切り、三方側枠内の第二収容物を支えるための底部を構成する中仕切り部を、ケース本体の内部に形成していることを特徴とする箱形収容ケース。
【発明の詳細な説明】
【技術分野】
【０００１】
本発明は、商品を箱状の容器内に収容して包装するための箱形収容ケースに関する。
【背景技術】
【０００２】
扁平な折畳状態から組み立てて使用される包装用の蓋付き箱として、従来、底面板の前角から前面板の端縁に至る斜山折線と、底面板の後角から側面板の端縁に至る斜谷折線と、天面板の前角から蓋前板の端縁に至る斜山折線とを設けたものが開示される（例えば、特許文献１参照）。この蓋つき箱においては、折畳状態では、前面板、両側面板及び蓋前板をそれぞれ斜山折線、斜谷折線及び斜山折線に沿って折り曲げ、底面板と後面板とが重なるように二つ折りにされる。底面板から後面板を起こし、前面板、両側面板及び蓋前板又は蓋側板の折り曲げを伸ばすだけで、連結片の折り曲げや抱込等の作業を要することなく、扁平な折畳状態から迅速に組み立てることができる、とされる。
【０００３】
また従来、厚紙製ワンタッチケースとして、のり代が貼り合わされたコーナーの底面と，そのコーナーと対角線方向で相対向するコーナーの底面に接する各外側底フラップに内側底フラップを重合し，それらの重合部分を接着剤でそれぞれ貼り合わせたものが開示される（例えば、特許文献２参照）。これは、各外側底フラップに上記各コーナーを２等分する線に合わせて設けられた斜めの折線の中央部に設けた各切れ目に，上記各内側底フラップのうち，上記各斜めの折線に接合するように設けられた接合縁から突出するように設けた各舌片をそれぞれ差し通し，この各舌片を上記各外側底フラップの外側面に接着剤で貼り合わせるものであり、のり代が接着されたコーナーにおける強度を強化する、とされる。
【先行技術文献】
【特許文献】
【０００４】
【特許文献１】特開２００４−１７７８号公報
【特許文献２】登録実用新案第３０５２４１１号公報
【発明の概要】
【発明が解決しようとする課題】
【０００５】
しかしながら、上記蓋つき箱、厚紙製ワンタッチケースは底部などの組み上げの境界部で強度に欠け、底部の隙間や接着部から容易に内容物を見たり改ざんしたりすることができるものであった。特に後述の厚紙製ワンタッチケースは、底部のロック強度を高めることはできでも突き合わせる底フラップの端辺から容易に手や道具を差し入れることができ、また側部の幅が小さい薄型形状ではロック効果が低下してしまうものであった。
【０００６】
また従来の改ざん防止機能として他に、シュリンク包装、シール止めなどが提案されているが、これらは別部材や別工程を必要とするため、管理面や作業面で手間がかかり、生産性の良いものとはいえなかった。
【０００７】
なお特に上記蓋付き箱は、左右に設けた比較的大きな側板をそれぞれ谷折りして折り畳み状態とするものであり、複雑な折り返しの作業が必要となって折り畳み状態のものを機械的に生産することができず、生産性の向上に繋がるものではなかった。
【０００８】
そこで本発明では、組み立て後に収容物の不正な開封や収容物への改ざんが行われるのを防ぐことができ、生産性のよい箱型収容ケースを提供することを課題とする。
【課題を解決するための手段】
【０００９】
本発明は上記課題を解決すべく以下の手段を採用している。
本発明の箱形収容ケースは、
側方へ連接する正面板１１、中側面板１３、背面板１２、及び外側面板１４を有し、これらの各連接辺の折り曲げによって角筒状に形成される側部と、
前記正面板１１の下辺、及び隣接する一の側面板（中側面板１３または外側面板１４）の下辺に共連結された第一フラップ板２１と、
前記背面板１２の下辺、及び隣接する他の側面板（外側面板１４または中側面板１３）の下辺に共連結された第二フラップ板２２とを有し、
前記第一フラップ板２１と第二フラップ板２２とを箱底面に沿うように突き合わせることで、有底箱体を構成する箱形容器において、
前記第一フラップ板２１、第二フラップ板２２の幅方向中央には、それぞれ底部の矩形形状の対角方向につきだしたロック片２３、２４が形成され、
第一フラップ板２１及び第二フラップ板２２を突き合わせた状態で、ロック片２３とロック片２４を底部中央で互いに係止させ、
前記第一フラップ板２１、第二フラップ板２２にはそれぞれ、箱形成形時に箱上方を向いて伸びる第一挟み込み片３１、第二挟み込み片３２が延設され、
第一挟み込み片３１、第二挟み込み片３２が箱内を斜め外方へ傾斜して伸びることで、箱内の収容物を正面板１１側と背面板１２側から挟み込み、
さらに前記背面板１２に連接した貼り合わせ側板１５から外側方へ、第一側板５１、第二側板５２、第三側板５３が順に連接形成されてなり、第三側板５３の裏側が背面板１２の内面に貼り合せられることで、収容ケースの角筒内に三方側枠を構成し、また第三側板５３には前記連接方向と逆方向へ、第二側板５２よりも長い底仕切り板５４が側方連接され、この底仕切り板５４が角筒の組み上げ時に三方側枠内を斜めに横切り、三方側枠内の第二収容物を支えるための底部を構成する中仕切り部を、ケース本体の内部に形成していることを特徴とする箱形収容ケース。
【００１０】
中側板１３、外側板１４は共通した側板幅１３Ｗを有し、第一フラップ板２１、第二フラップ板２２は共通したフラップ板幅２２Ｗを有するところ、フラップ板幅２２Ｗは、側板幅１３Ｗよりも小さく、大きくとも側板幅１３Ｗの８０％、好ましくは６０％となっている。そして折り畳み状態から箱状態へ組み上げる際には、第一フラップ板２１、第二フラップ板２２との境界を折り辺として、その先にそれぞれ延設された第一挟み込み片３１，第二挟み込み片３２を山側に折って箱内部に入れる。このときの成形紙の折り戻し性質によって、第一挟み込み片３１、第二挟み込み片３２の先端辺３１１，３２１がそれぞれ正面板１１、背面板１２の内面を押さえた形となる（図３）。
【００１１】
また挟み込み片３１、３２は、谷折り辺で連接された２板面からなるという構造上、折り畳み状態から組み上げ状態にする過程において、挟み込み片３１、３２の先端辺が、コーナー部を境とし、正面板、背面板に対して幅方向にねじれた角度となったまま、各挟み込み片３１，３２が起き上がる。このとき、挟み込み片３１，３２は幅方向内側の部分が短く、幅方向外側の部分が長くなるように先端辺が傾斜して形成されているため、先に起き上がった挟み込み片の幅方向内側の先端部分がぶつかって同幅方向外側の先端部分が正面板／背面板から浮き上がるのを防ぐことができる。そして各挟み込み片が箱内面から浮き上がらずに断面倒立ハの字方向に配置されることで、収容物が誤って入り込む余分な浮き上がりが生じず、収容物を挟みこみ片間へ確実に挟み込むことができる。
【００１２】
また挟み込み片３１、３２はリブが形成されることで補強され、延設方向内の不要な湾曲や折れの発生を防ぎ、収容物を確実に挟み込むことができる。実施例では細長長円状の型押し（罫線処理）によって４本のリブ３０を等間隔に形成している。
【発明の効果】
【００１３】
本発明の箱形収容ケースは上記手段を講じており、内部改ざんの容易な底部にて、挟み込み板が箱内で互い違いに延設され、収容物をフラップ板の覆い方向の外側から挟み込む状態で収容することとなる。これにより、組み立て後に収容物の不正な開封や収容物への改ざんが行われるのを防ぐことのできる箱型収容ケースとなった。また、側部の角箱やフラップ板の形成は、折り返し工程と接着工程によって平面的に形成可能であるため、サックマシンでの貼り合わせ加工が可能であるなど、折り畳みの作業性が向上し、生産性がよい箱型収容ケースとなった。
【図面の簡単な説明】
【００１４】
【図１】実施例１の表面展開図
【図２】実施例１の組みたて・収納状態の正面視断面説明図（図３のＣ−Ｃ断面図）。
【図３】図２のＡ−Ａ側面視断面説明図（図２のＡ−Ａ断面図）。
【図４】組み立て・収納状態の平面図。
【図５】実施例１の平面視底部断面図（図２のＢ−Ｂ断面図）。
【図６】組み立て・収納状態の底部斜視説明図。
【図７】実施例２の表面展開図。
【図８】実施例２の平面視底部断面図。
【発明を実施するための形態】
【００１５】
以下、本箱形収容ケースの実施形態を、実施例として示す各図と共に説明する。本発明の箱型収容ケースは、ケース本体が少なくとも、一つずつの正面板１１、背面板１２、その両端同士をつなぐための中側面板１３、外側面板１４から四方枠構成されうる側部、及び、第一フラップ板２１と第二フラップ板２２に分離構成された底部からなる合計６つ以上の面板が一体的に連接された紙製または樹脂製のシートから構成される。以下、実施例１、２の各構成につき詳述する。
【実施例１】
【００１６】
実施例１では正面板１１、背面板１２、その両端同士をつなぐための中側面板１３、外側面板１４、第一フラップ板２１、第二フラップ板２２、からなる合計６つ以上の面板が一体的に連接され、さらに、ケース本体の内部に形成される中仕切り部を構成する面板（５１〜５４）、及び、上部を構成する蓋板４２及び蓋を閉じるための蓋フラップ板４１等が付加構成される（図１）。
【００１７】
実施例１のシートは各面板間が折り畳まれると共に、貼り合わせ側板１５及びその上部の貼り合わせ突片４５が、外側板１４及びその上部の外側突片４４にそれぞれ面接着され、そして第一フラップ面板２１１，２２１に連接した連接ヒンジ２１３，２２３が、第二フラップ面板２１２，２２２にそれぞれ面接着され組み上げ前の折り畳み状態として連続生産される。この折り畳み状態のシートが、各面板間の連接辺で折り曲げられ、底部を突き合わせるように起こすことで、図３や図６に示すような縦型の部分多角錐形状の有底箱体の状態へ構成される。
【００１８】
そして組み上げ状態において、本発明の箱形収容ケースのケース本体は、
・側方へ連接する正面板１１、中側面板１３、背面板１２、及び外側面板１４を有し、これらの各連接辺の折り曲げによって角筒状に形成される側部と、
・前記正面板１１の下辺、及び隣接する一の側面板（中側面板１３または外側面板１４）の下辺に共連結された第一フラップ板２１と、
・前記背面板１２の下辺、及び隣接する他の側面板（外側面板１４または中側面板１３）の下辺に共連結された第二フラップ板２２とを有する。
【００１９】
底部を構成する第一フラップ板２１、第二フラップ板２２にはそれぞれ、箱形成形時に箱上方を向いて伸びる第一挟み込み片３１、第二挟み込み片３２が延設される。前記第一フラップ板２１と第二フラップ板２２とを箱底面に沿うように突き合わせたとき、第一挟み込み片３１，第二挟み込み片３２が箱内を斜め外方へ傾斜して伸びることで（図３）、箱内の収容物Ｂ１を正面板１１側と背面板１２側から挟み込むことができる。このとき先端辺は幅方向内側へ傾斜降下する傾斜辺で構成されることによって、箱内面に対する余分な浮き上がり部が生じることがなく、例えば薄い袋状の収容物Ｂ１であっても確実に収容することができる（特に図８との対比における図４）。
【００２０】
（折畳み状態）
折畳み状態では、連接構成された各板間が折り曲げられることで、連接構成された４面板のうち、正面板１１に連なる正面側の２面板と、背面板１２に連なる背面側の２面板とが重なる。また底部を構成する第一フラップ板２１、第二フラップ板２２は、斜め方向の折り辺２１Ｆ、２２Ｆを谷折りとして、延設された挟み込み片３１，３２と共に内側すなわち箱上方側に折り込まれる。このとき箱内部で中仕切り部形成されることで、剛性の強い箱状態を形成することができる。
【００２１】
（側部）
側部は正面板１１、中側面板１３、背面板１２、及び外側面板１４が側方に連接され、同じく側方へ連接した貼り合せ板１５の貼り合せと各連接辺の折り曲げによって角筒状に形成される。前記側部の角筒状の一筒口側に開口した底部において、第一フラップ板２１、第二フラップ板２２が対向して、底部の矩形開口を覆うように配置される。これら第一フラップ板２１、第二フラップ板２２が付き合わされるように配置されて箱底面を構成する。
【００２２】
（第一フラップ板２１）
第一フラップ板２１は箱底部の一の対角線上にある第一コーナー２１Ｃを構成する隣り合う２辺（正面板１１の下辺、及び外側面板１４の下辺）それぞれに、正面板１１及び中側面板１３に対して略垂直な角度で連結される。
【００２３】
具体的には第一フラップ面板２１１が正面板１１の下辺に連結し、台形の第二フラップ面板２１２が中側面板１２の下辺に連結する。そして第一フラップ面板２１１の外側端部は斜めにカットされるとともにそのカット部から山形の連接ヒンジ２１３が連接される。連接ヒンジ２１３が第二フラップ面板２１２の面内に張り付けられることで、第一フラップ面板２１１と第二フラップ面板２１２とが連接される。この連接境界である斜めのカット部は、正面板１１下辺と、一の側面板たる外側面板１４下辺との境界である第一コーナー２１Ｃから底面に伸びる辺であり、第一フラップ板２１は、このカット部を谷折りに罫線処理される。箱内側へ折り曲げ可能に形成された第一フラップ板２１は、折り畳み状態では箱上方へ折り込まれる。
【００２４】
なお、第一フラップ面板２１１は左半部が横長矩形に形成されるとともに下辺をリード罫処理されるとともに、右半部が傾斜した突き合わせ辺を有して部分三角形に形成される。そして幅方向中央であって、前記横長矩形の部分と部分三角形の部分の間には、底部の矩形形状の対角方向につきだしたロック片２３が形成される。ロック片２３は実施例１ではリード罫を境界辺としてその先部が先端角丸の二等辺三角形に形成される。
【００２５】
（第二フラップ板２２）
第二フラップ板２２は箱底部の他の対角線上にある第二底コーナー２２ｃを構成する隣り合う２辺（正面板１１の下辺、及び外側面板１４の下辺）それぞれに、背面板１２及び側面板１４それぞれに対して略垂直な角度で連結される。第二フラップ板２２は、前記第一フラップ板２１と同形状からなり、第一フラップ面板２２１の斜めにカットされたカット部から連接された連接ヒンジ２２３の接着によって、第一フラップ面板２２１と第二フラップ面板２２２とが、前記斜めのカット部を連接境界として連接される。この斜めのカット部は、背面板１２下辺と、一の側面板たる中側面板１３下辺との境界である第二コーナー２２Ｃから底面側に伸びる辺であり、第二フラップ板２２は、このカット部を谷折りに罫線処理される。箱内側へ折り曲げ可能に形成された第一フラップ板２１は、折り畳み状態では箱上方へ折り込まれる。
【００２６】
また第二フラップ板２２の幅方向中央には、底部の矩形形状の対角方向につきだしたロック片２４が形成される。ロック片２４は前記第一フラップ板２２のロック片２３と、展開状態にて同一形状に形成される。実施例１ではリード罫を境界辺としてその先部が先端角丸の二等辺三角形に形成される。
【００２７】
第一フラップ板２１、第二フラップ板２２はまた、前記ロック片２３を境とした表面左半部に、展開状態で下方に傾斜する傾斜辺を有する（図１）。第一フラップ板２１、第二フラップ板２２の傾斜辺は、組み上げ状態における矩形の底部の対角線ｄ１よりも、頂部側がわずかに突出した傾斜辺となっており、この傾斜辺が、箱形の組み上げ時に底板を構成するための突き合わせ辺となる。底部を構成する際には各フラップ板２１，２２を側面板や正面板、背面板に対して垂直となるように起こす。このとき、第一フラップ板２１、第二フラップ板２２の付き合わせ辺同士は略直線方向を向くように揃えられ、それぞれ対角線ｄ１からわずかにずれた傾斜方向に配される（図６）。
【００２８】
第一フラップ板２１、第二フラップ板２２は、箱の折り畳み状態及び組み上げ状態にて、底部中心を境とする対称位置に対向配置される。そして対向配置されることで底部中央部に隣接した各フラップ板２１、２２のロック片２３，２４同士を噛み合わせることで、組み立てた箱形容器の底部２を構成する。
（第一、第二挟み込み片３１、３２）
展開状態における第一フラップ板２１、第二フラップ板２２幅方向右半部にはそれぞれ、略水平の接続辺を境界として下方に第一挟み込み片３１、第二挟み込み片３２が延設される。また前記略水平の接続辺にはリード罫が設けられ、その先側にある第一、第二挟み込み片３１、３２の折癖を確実につけるものとしている。
【００２９】
第一挟み込み片３１の先端辺３１１、第二挟み込み板３２の先端辺３２１はそれぞれ、幅方向側部から中央に向かって下方傾斜してなり、箱内面からの浮き上がりを抑止している。この先端辺３１１，３２１の傾斜角３１１θは共に水平に対して略５〜１５度となっている。
【００３０】
また第一、第二挟み込み片３１、３２の幅方向中央寄りの側辺は、ロック片２３，２４の幅方向中央に至る内側位置にまで及んでおり、第一、第二挟み込み片３１，３２同士が重ならない程度で各片の幅を最大に広げ、挟み込み機能がより確実なものとなるようにしている。このように挟み込み片３１，３２の幅を広げることで内側に寄った幅方向中央寄りの側辺は、フラップ板２１，２２との接続部付近に、幅方向中央から外側に向かう切り込み３１２、３２２を形成している。切り込み３１２、３２２によってロック片２３，２４と一定の離間距離を保つことで、互いの片の干渉を防ぐものとしている。なお実施例の切り込み３１２，３２２の切り込み角３１２θは、共に水平に対して略４５度となっている。
【００３１】
第一挟み込み片３１，第二挟み込み片３２は、箱形成形時に箱上方に折り返され、箱内を斜め外方へ傾斜して伸びることで、箱内の収容物を正面板１１側と背面板１２側から挟み込む状態となる。そのため第一、第二フラップ板のフラップ板幅２２Ｗは側板幅１３Ｗの６０％〜８０％となっている。
【００３２】
（中仕切り部）
中仕切り部は、貼り合わせ側板１５から外側方へ、第一側板５１、第二側板５２、第三側板５３が順に連接形成されてなり、第三側板５３の裏側が背面板１２の内面に貼り合せられることで、収容ケースの角筒内に三方側枠を構成する。また第三側板５３には前記連接方向と逆方向へ、第二側板５２よりもやや長い底仕切り板５４が側方連接される。この底仕切り板５４は角筒の組み上げ時に三方側枠内を斜めに横切り、三方側枠内の第二収容物Ｂ２を支えるための底部を構成する。
【００３３】
（組み上げ方法）
上記のように構成された箱形収容ケースを組み上げるには、連接された側板を角筒状に起こし、第一フラップ板２１及び第二フラップ板２２を突き合わせてロック片２３とロック片２４を底部中央で互いに係止させるように端のフラップ板内へ差し入れる。これにより図６に示すような底部を有した箱状態に組み上げることができる。
【実施例２】
【００３４】
実施例２は実施例１と比べて中仕切り部を有さない。またロック片２３，２４は部分円弧状でかつ付き合わせ辺側の端部に小切り込みが形成されている。また挟み込み片３１，３２の先端辺３１１，３２１は延設方向に対して垂直すなわち水平方向に形成され、実施例１のような傾斜辺ではない。他の特記しない構成及び使用方法は実施例１と同様である。
【００３５】
実施例２によれば図８に示すように、組み上げ時に挟み込み片３１，３２の先端辺３１１，３２１の幅方向外側部分に、正面板／背面板に対する浮き上がり部３Ｄが形成される。これは各フラップ板２１，２２が谷折り辺２１Ｆ、２２Ｆを有し、組み上げ時にねじれながら起き上ることに基づくものである。浮き上がり部３Ｄ内に誤って収容物が入り込む可能性があるものの、挟み込み片３１，３２はより収容物寄りに配置されるため、収容物を確実に挟み込むことが可能である。
【００３６】
（他の実施例）
上記実施例に代えて、第一、第二フラップ板を有する部分を側面側とし、正面板、底面板、背面板、及び天面板が連設されて角筒を形成するものでもよい。其の他本発明は上述した実施例に限定されず本発明の趣旨を逸脱しない範囲で適宜変更、要素抽出、構成の省略、形状・位置変更が可能である。
【符号の説明】
【００３７】
１１  正面板
１２  背面板
１３  中側面板
１４  外側面板
１５ 貼り合わせ側板
２１  第一フラップ板
２２  第二フラップ板
２３ ロック片
２４ ロック片
３１  第一挟み込み片
３２  第二挟み込み片
５１ 第一側板
５２ 第二側板
５３ 第三側板
５４ 底仕切り板
【図１】
0005516864.tif 000002
【図２】
0005516864.tif 000003
【図３】
0005516864.tif 000004
【図４】
0005516864.tif 000005
【図５】
0005516864.tif 000006
【図６】
0005516864.tif 000007
【図７】
0005516864.tif 000008
【図８】
0005516864.tif 000009